(57)【特許請求の範囲】
【請求項１】
シート排出口から排出されるシートを受ける排出シートトレイであって、
前記シート排出口の下方の起点部からそれよりシート排出方向の下流側の終点部までに亘って形成され、その上面が前記起点部から前記シート排出方向の下流側へ延びる起点側上面と前記起点側上面における前記シート排出方向の下流側の端から前記終点部側へ向けて斜め上方へ傾斜して形成された傾斜面とを含む基板部と、
それぞれ前記基板部の上面から突出し、前記シート排出方向に沿って形成されている複数のガイドリブと、を備え、
前記複数のガイドリブは、前記シート排出方向に直交する幅方向における前記シート排出口の中心を基準にして左右対称に設けられた一対の第１ガイドリブおよび前記幅方向において前記一対の第１ガイドリブの両外側に形成された２つの第２ガイドリブを含み、
前記一対の第１ガイドリブは、前記基板部の上面における少なくとも前記起点側上面から前記傾斜面に亘る起点側領域に形成されているとともに、前記２つの第２ガイドリブよりも高く、かつ、前記起点部から前記シート排出方向の下流側へ向けて斜め上方へ一定の第１の勾配で傾斜して形成された第１上流側傾斜部と、前記第１上流側傾斜部に対し前記シート排出方向の下流側に段差無く連なるとともに前記シート排出方向の下流側へ向けて斜め上方へ前記第１の勾配よりも急な第２の勾配で傾斜して形成された第１下流側傾斜部と、を有し、
前記２つの第２ガイドリブは、前記起点部から前記起点側領域の途中の位置までにおいて前記シート排出方向の下流側へ向けて斜め上方へ前記第１勾配よりも緩やかな第３勾配で傾斜して形成された第２上流側傾斜部と、前記第２上流側傾斜部に対し前記シート排出方向の下流側に段差無く連なるとともに前記シート排出方向の下流側へ向けて斜め上方へ前記第２の勾配で傾斜して形成された第２下流側傾斜部と、を有し、
前記起点側領域よりも前記シート排出方向の下流側において、前記一対の第１ガイドリブおよび前記２つの第２ガイドリブが同じ高さで形成されている、排出シートトレイ。
【請求項２】
前記基板部の前記終点部寄りの部分に収容された退避位置と前記シート排出方向における下流側の前記ガイドリブの端部の位置からさらに下流側の斜め上方へ延び出た使用位置との間で変位可能な状態で前記基板部に取り付けられており、前記使用位置において、前記シートの先端の前記シート排出方向下流側への移動を制限するシートストッパーをさらに備える、請求項１に記載の排出シートトレイ。
【請求項３】
加熱によってシートに画像を定着させる定着部と、
前記定着部を経由した前記シートをシート排出口から排出するシート排出部と、
前記シート排出口から排出される前記シートを受ける請求項１または請求項２に記載の排出シートトレイと、を備える画像形成装置。
【発明の詳細な説明】
【技術分野】
【０００１】
本発明は、排出シートトレイおよびそれを備える画像形成装置に関する。
【背景技術】
【０００２】
一般に、画像形成装置は、画像が形成された後にシート排出口から排出されるシートを受ける排出シートトレイを備える。電子写真方式の前記画像形成装置は、加熱によって前記シートに画像を定着させる定着部を備え、前記定着部を経由した前記シートがシート排出口から排出される。
【０００３】
前記排出シートトレイは、前記シート排出口の下方の起点部からそれよりシート排出方向の下流側の終点部までに亘って形成され、その上面が前記起点部側から前記終点部側へ向けて斜め上方へ傾斜して形成された傾斜面を含む（例えば、特許文献１参照）。
【０００４】
前記定着部を経由した前記シートは、前記シートを加熱する加熱ローラーの外周面に沿ってカールし、上側に凸状にカールした状態で前記排出シートトレイ上へ排出される。装置の小型化等の要請に応じて外径の小さな前記加熱ローラーが採用される場合、前記シートは、より大きな曲率でカールする。
【先行技術文献】
【特許文献】
【０００５】
【特許文献１】特開２００７−９３８２８号公報
【発明の概要】
【発明が解決しようとする課題】
【０００６】
ところで、カールした１枚目の前記シートの後端が、前記排出シートトレイの前記起点部まで滑り落ちない状態で、２枚目の前記シートが前記シート排出口から排出される場合がある。この場合、２枚目の前記シートの先端が、前記排出シートトレイ上の１枚目の前記シートの後端寄りの部分に当たり、前記シートの排出不良が生じるおそれがある。
【０００７】
前記排出不良は、１枚目の前記シートが２枚目の前記シートによって前記排出シートトレイから押し出される現象、または、２枚目の前記シートが１枚目の前記シートの下側に潜り込む現象などである。前記排出不良は、前記シートのカールの曲率が大きい場合、即ち、前記加熱ローラーの外径が小さい場合に特に生じやすい。
【０００８】
本発明の目的は、カールしたシートの後端が排出シートトレイの起点部まで滑り落ちやすい構造により、前記シートの排出不良を防止できる排出シートトレイおよびそれを備える画像形成装置を提供することにある。
【課題を解決するための手段】
【０００９】
本発明の一の局面に係る排出シートトレイは、シート排出口から排出されるシートを受ける。前記排出シートトレイは、基板部と、複数のガイドリブとを備える。前記基板部は、前記シート排出口の下方の起点部からそれよりシート排出方向の下流側の終点部までに亘って形成され、その上面が前記起点部から前記シート排出方向の下流側へ延びる起点側上面と前記起点側上面における前記シート排出方向の下流側の端から前記終点部側へ向けて斜め上方へ傾斜して形成された傾斜面とを含む。前記複数のガイドリブは、それぞれ前記基板部の上面から突出し、前記シート排出方向に沿って形成されている。前記複数のガイドリブは、一対の第１ガイドリブおよびその他の第２ガイドリブを含む。前記一対の第１ガイドリブは、前記シート排出方向に直交する幅方向における前記シート排出口の中心を基準にして左右対称に設けられている。前記一対の第１ガイドリブは、前記基板部の上面における少なくとも前記起点側上面から前記傾斜面に亘る起点側領域において、前記第２ガイドリブよりも高く、かつ、前記シート排出方向の上流側端部から下流側へ向けて斜め上方へ傾斜して形成されている。
【００１０】
本発明の他の局面に係る画像形成装置は、定着部と、シート排出部と、前記排出シートトレイとを備える。前記定着部は、加熱によってシートに画像を定着させる。前記シート排出部は、前記定着部を経由した前記シートをシート排出口から排出する。前記排出シートトレイは、前記シート排出口から排出される前記シートを受ける。
【発明の効果】
【００１１】
本発明によれば、カールしたシートの後端が排出シートトレイの起点部まで滑り落ちやすい構造により、前記シートの排出不良を防止できる排出シートトレイおよびそれを備える画像形成装置を提供することが可能になる。
【図面の簡単な説明】
【００１２】
【図１】図１は、実施形態に係る排出シートトレイを備える画像形成装置の斜視図である。
【図２】図２は、実施形態に係る排出シートトレイおよびその周辺部の斜視図である。
【図３】図３は、実施形態に係る排出シートトレイおよびその周辺部の断面図である。
【図４】図４は、実施形態に係る排出シートトレイの主要部の断面図である。
【図５】図５は、１枚目のシートが排出された直後における排出シートトレイおよびその周辺部の断面図である。
【図６】図６は、２枚目のシートが排出され始めたときにおける実施形態に係る排出シートトレイおよびその周辺部の断面図である。
【図７】図７は、２枚目のシートが排出されたときにおける実施形態に係る排出シートトレイおよびその周辺部の断面図である。
【図８】図８は、２枚目のシートが排出され始めたときにおける参考例に係る排出シートトレイおよびその周辺部の断面図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
図１，２に示されるように、実施形態に係る排出シートトレイ１は、画像形成装置１０の本体２の上部に設けられている。排出シートトレイ１は、画像が形成された後に本体２の上部のシート排出口２ａから排出されるシート９を受ける部分である。
【００１５】
画像形成装置１０は、電子写真方式のプリンターである。なお、画像形成装置１０が、複写機、ファクシミリ装置または複合機などであることも考えられる。
【００１６】
図３に示されるように、画像形成装置１０は、加熱によってシート９に画像を定着させる定着部３を備える。定着部３は、シート９を挟み込んで回転する加熱ローラー３１および加圧ローラー３２を備え、加熱ローラー３１は、ヒーター３３によって加熱される。
【００１７】
なお、画像形成装置１０は、シート９にトナーの画像を形成する不図示の画像形成部を備えている。前記画像形成部によって画像が形成されたシート９が、定着部３へ搬送される。
【００１８】
画像が定着されたシート９は、中継ローラー対４および排出ローラー対５によって搬送され、排出ローラー対５が、定着部３および中継ローラー対４を経由したシート９をシート排出口２ａから排出シートトレイ１上へ排出する。排出ローラー対５は、シート排出部の一例である。
【００１９】
シート９は、加熱ローラー３１に接触した面が下を向く状態で、シート排出口２ａから排出シートトレイ１上へ排出される。
【００２０】
なお、図３，５〜８において、定着部３、中継ローラー対４、排出ローラー対５および押圧部材６は、簡略化して描かれている。
【００２１】
定着部３を経由したシート９は、シート９を加熱する加熱ローラー３１の外周面に沿ってカールし、上側に凸状にカールした状態で排出シートトレイ１上へ排出される（図５，６参照）。装置の小型化等の要請に応じて外径の小さな加熱ローラー３１が採用される場合、シート９は、より大きな曲率でカールする。
【００２２】
画像形成装置１０は、本体２におけるシート排出口２ａの上方の部分によって回動可能に支持され、シート排出口２ａの前方に垂下した押圧部材６を備える。押圧部材６は、シート排出口２ａから排出されるシート９によって押し上げられる。さらに、押圧部材６は、排出シートトレイ１上に予め定められた満杯レベルを超えて積載されたシート９によっても押し上げられる。
【００２３】
押圧部材６は、排出されたシート９を上から押圧することにより、排出されたシート９の飛び出しを抑制し、さらに、排出シートトレイ１上におけるシート９のスタック整合性を高める。
【００２４】
排出シートトレイ１は、合成樹脂の成型部材である。排出シートトレイ１は基板部１１を備える。基板部１１は、シート排出口２ａの下方の起点部１１ｘからそれよりシート排出方向Ｄ１の下流側の終点部１１ｙまでに亘って形成されている。基板部１１の上面は、起点部１１ｘ側から終点部１１ｙ側へ向けて斜め上方へ傾斜した傾斜面１１ｂを含む。
【００２５】
以下の説明において、シート排出方向Ｄ１に直交する水平な方向のことを幅方向Ｄ２と称する。幅方向Ｄ２は、シート排出口２ａの長手方向である。
【００２６】
本実施形態において、基板部１１の上面は、シート排出方向Ｄ１において起点部１１ｘからの一部の範囲を占める第１水平面１１ａと、第１水平面１１ａに連なる傾斜面１１ｂと、傾斜面１１ｂに連なる第２水平面１１ｃとを含む（図３参照）。
【００２７】
なお、第１水平面１１ａは、起点部１１ｘからシート排出方向Ｄ１の下流側へ延びる起点側上面の一例である。また、傾斜面１１ｂは、前記起点側上面におけるシート排出方向Ｄ１の下流側の端から終点部１１ｙ側へ向けて斜め上方へ傾斜して形成された面の一例である。
【００２８】
第２水平面１１ｃは、基板部１１の終点部１１ｙからの一部分の上面であり、傾斜面１１ｂは、第１水平面１１ａと第２水平面１１ｃとの間の中間部分である。
【００２９】
排出シートトレイ１は、基板部１１に取り付けられたシートストッパー１４を備えている。シートストッパー１４は、基板部１１の終点部１１ｙ寄りの部分に収容された退避位置と基板部１１の終点部１１ｙ寄りの部分からシート排出方向Ｄ１の下流側の斜め上方へ延び出た使用位置との間で変位可能な状態で基板部１１に取り付けられている。
【００３０】
本実施形態において、前記退避位置のシートストッパー１４は、基板部１１における傾斜面１１ｂと第２水平面１１ｃとに跨った領域に収容される。シートストッパー１４は、第２水平面１１ｃに軸支された軸部を中心に搖動可能である。
【００３１】
図３において、前記使用位置のシートストッパー１４が実線で示され、前記退避位置のシートストッパー１４が２点鎖線（仮想線）で示されている。シートストッパー１４は、前記使用位置において、シート９の先端９ａのシート排出方向Ｄ１下流側への移動を制限する（図５，７参照）。即ち、シートストッパー１４は、シート９の先端９ａが排出シートトレイ１からシート排出方向Ｄ１の下流側へはみ出すことを防ぐ。
【００３２】
図２，３に示される例では、シートストッパー１４は、基板部１１に回動可能に支持された回動基部１４ａと、回動基部１４ａの端部に回動可能に支持された拡張部１４ｂとを有する。
【００３３】
回動基部１４ａには、幅方向Ｄ２に沿う第１軸部１４１が形成されており、第１軸部１４１が基板部１１によって回転可能に支持されている。拡張部１４ｂには、幅方向Ｄ２に沿う第２軸部１４２が形成されており、第２軸部１４２が回動基部１４ａの先端部に対して回転可能に支持されている。
【００３４】
シートストッパー１４が前記使用位置に位置する状態において、回動基部１４ａが基板部１１からシート排出方向Ｄ１の下流側へ向けて斜め上方へ延び出し、さらに、拡張部１４ｂが回動基部１４ａの先端部からシート排出方向Ｄ１の下流側へ向けて斜め上方へ延び出している。
【００３５】
シートストッパー１４が前記退避位置に位置する状態において、拡張部１４ｂが回動基部１４ａに沿う位置へ畳まれ、さらに、回動基部１４ａおよび拡張部１４ｂが基板部１１に形成された凹部１１ｄに収容されている。
【００３６】
排出シートトレイ１は、基板部１１の上面から突出して形成された複数のガイドリブ１２，１３も備える。これらガイドリブ１２，１３については後述する。
【００３７】
図８に示される参考例に係る排出シートトレイ１００は、排出シートトレイ１と同様に、基板部１１およびシートストッパー１４を備える。図８に示される排出シートトレイ１００は、従来の排出シートトレイの一例である。
【００３８】
ところで、図８に示されるように、カールした１枚目のシート９の後端９ｂが、排出シートトレイ１００の起点部１１ｘまで滑り落ちない状態で、２枚目のシート９がシート排出口２ａから排出される場合がある。この場合、２枚目のシート９の先端９ａが、排出シートトレイ１００上の１枚目のシート９の後端９ｂ寄りの部分に当たり、シート９の排出不良が生じるおそれがある。
【００３９】
前記排出不良は、１枚目のシート９が２枚目のシート９によって排出シートトレイ１００から押し出される現象、または、２枚目のシート９が１枚目のシート９の下側に潜り込む現象などである。前記排出不良は、加熱ローラー３１の外径が小さい場合、および、加熱ローラー３１と加圧ローラー３２との間に深いニップ部が形成される場合などに生じやすい。
【００４０】
一方、図２〜７に示される排出シートトレイ１は、カールしたシート９の後端９ｂが起点部１１ｘまで滑り落ちやすい構造を有している。これにより、前記シートの排出不良を防止することができる。以下、排出シートトレイ１の前記構造について説明する。
【００４１】
排出シートトレイ１は、それぞれ基板部１１の上面から突出した３つ以上のガイドリブ１２，１３を備える。ガイドリブ１２，１３は、シート排出方向Ｄ１に沿う稜線を形成する凸部である。ガイドリブ１２，１３は、シート排出方向Ｄ１に沿って、起点部１１ｘまたは起点部１１ｘの近傍の位置から、終点部１１ｙまたは終点部１１ｙの近傍の位置までに亘って一連に形成されている。
【００４２】
例えば、ガイドリブ１２，１３は、基板部１１の起点部１１ｘから終点部１１ｙよりもシート排出方向Ｄ１の上流側の位置までの亘って形成されている。本実施形態において、全てのガイドリブ１２，１３が、シート排出方向Ｄ１における同じ範囲に形成されている。
【００４３】
また、シートストッパー１４は、前記使用位置において、シート排出方向Ｄ１における下流側のガイドリブ１２，１３の端部の位置からさらに下流側の斜め上方へ延び出て形成される。従って、排出ローラー対５によって送られるシート９の先端９ａは、ガイドリブ１２，１３の頭頂部を摺動した後、シートストッパー１４に乗り上げる（図５参照）。
【００４４】
シートストッパー１４の傾斜角度がガイドリブ１２，１３の傾斜角度よりも十分に大きいため、シート排出方向Ｄ１下流側へのシート９の先端９ａの移動が、シートストッパー１４によって制限される。
【００４５】
ガイドリブ１２，１３は、少なくともシート排出方向Ｄ１における基板部１１の第１水平面１１ａから傾斜面１１ｂに亘る起点側領域Ａ１において、シート排出方向Ｄ１の上流側から下流側へ向けて斜め上方へ傾斜して形成されている。
【００４６】
ガイドリブ１２，１３は、幅方向Ｄ２におけるシート排出口２ａの中心を基準にして左右対称に設けられた一対の第１ガイドリブ１２と、その他の第２ガイドリブ１３とを含む。排出シートトレイ１は、４つのガイドリブ１２，１３を備え、２つの第２ガイドリブ１３を含む。本実施形態において、１つの第２ガイドリブ１３も、幅方向Ｄ２におけるシート排出口２ａの中心を基準にして左右対称に設けられている。
【００４７】
一対の第１ガイドリブ１２の一方と他方が、シート排出方向Ｄ１の全範囲において、水平方向から見て同じ高さで形成されている。また、２つの第２ガイドリブ１３の一方と他方が、シート排出方向Ｄ１の全範囲において、水平方向から見て同じ高さで形成されている。但し、一対の第１ガイドリブ１２は、シート排出方向Ｄ１の起点側領域Ａ１において、２つの第２ガイドリブ１３と異なる高さで形成されている。
【００４８】
図３，４に示されるように、一対の第１ガイドリブ１２は、シート排出方向Ｄ１の起点側領域Ａ１において、水平方向から見て第２ガイドリブ１３よりも高く形成されている。
【００４９】
また、一対の第１ガイドリブ１２は、起点側領域Ａ１において、シート排出方向Ｄ１の上流側の端から下流側へ向けて斜め上方へ傾斜して形成されている。以下の説明において、一対の第１ガイドリブ１２における起点側領域Ａ１の部分のことを背高傾斜部１２ａと称する。
【００５０】
本実施形態において、一対の第１ガイドリブ１２の背高傾斜部１２ａは、起点部１１ｘの上面から斜め上方へ一定の第１の勾配で傾斜して形成されている。
【００５１】
さらに、一対の第１ガイドリブ１２は、起点側領域Ａ１に対しシート排出方向Ｄ１の下流側の中間領域Ａ２において、シート排出方向Ｄ１の下流側へ向けて斜め上方へ傾斜した中間傾斜部１２ｂを有する。一対の第１ガイドリブ１２の中間傾斜部１２ｂは、前記第１の勾配よりも急な第２の勾配で傾斜して形成されている。前記第２の勾配は、傾斜面１１ｂの勾配と同じである。
【００５２】
さらに、一対の第１ガイドリブ１２は、中間領域Ａ２に対しシート排出方向Ｄ１の下流側の隣の終点側領域Ａ３において、水平に形成された水平部１２ｃを有している。
【００５３】
一方、２つの第２ガイドリブ１３は、シート排出方向Ｄ１における第１水平面１１ａの領域である起点側部分領域Ａ１０において、起点部１１ｘの上面から第３の勾配で斜め上方へ傾斜して形成されている。以下の説明において、第２ガイドリブ１３における起点側部分領域Ａ１０の部分のことを背低傾斜部１３ａと称する。背低傾斜部１３ａは、前記第１の勾配よりも緩やかな前記第３の勾配で傾斜している。
【００５４】
さらに、２つの第２ガイドリブ１３は、起点側部分領域Ａ１０に対しシート排出方向Ｄ１の下流側の隣に中間傾斜部１３ｂを有している。中間傾斜部１３ｂは、起点側領域Ａ１におけるシート排出方向Ｄ１の下流側の残りの領域および中間領域Ａ２において、シート排出方向Ｄ１の下流側へ向けて斜め上方へ前記第２の勾配で傾斜して形成されている。
【００５５】
即ち、一対の第１ガイドリブ１２の中間傾斜部１２ｂと、２つの第２ガイドリブ１３の中間傾斜部１３ｂとは、水平方向を基準に同じ傾斜角度で傾斜している。さらに、２つの第２ガイドリブ１３は、終点側領域Ａ３において、水平に形成された水平部１３ｃを有している。即ち、中間傾斜部１３ｂは傾斜面１１ｂに沿って形成されており、水平部１３ｃは、第２水平面１１ｃに沿って形成されている。
【００５６】
そして、全てのガイドリブ１２，１３は、起点側領域Ａ１よりもシート排出方向Ｄ１の下流側において、水平方向から見て同じ高さで形成されている。即ち、起点側領域Ａ１よりもシート排出方向Ｄ１の下流側において、全てのガイドリブ１２，１３が、同じ高さおよび同じ勾配で形成されている。なお、起点側領域Ａ１は、一対の第１ガイドリブ１２が起点部１１ｘ側の端から一定の勾配で形成された領域である。
【００５７】
前述したように、一対の第１ガイドリブ１２の背高傾斜部１２ａは、水平方向から見て他の第２ガイドリブ１３よりも高く形成されている。そのため、カールしたシート９の後端９ｂが、幅方向Ｄ２において傾きにくい安定した状態で、かつ、摩擦抵抗の小さい状態で、一対の第１ガイドリブ１２における起点側領域Ａ１の部分のみに接する（図５，６参照）。
【００５８】
例えば、シート９の後端９ｂが基板部１１の上面に接する場合（図８参照）、及び、シート９の後端９ｂが３つ以上のガイドリブ１２，１３に接する場合よりも、シート９の後端９ｂが一対の第１ガイドリブ１２の背高傾斜部１２ａのみに接する場合の方が、シート９の後端９ｂと排出シートトレイ１との間の摩擦抵抗が小さい。
【００５９】
さらに、一対の第１ガイドリブ１２の背高傾斜部１２ａは、シート排出方向Ｄ１の上流側の端から下流側へ向けて斜め上方へ傾斜して形成されている。そのため、カールしたシート９の後端９ｂが、一対の第１ガイドリブ１２上において起点部１１ｘまで滑り落ちやすい。
【００６０】
１枚目のシート９の後端９ｂが起点部１１ｘまたは起点部１１ｘに近い位置に存在する状態においては、２枚目のシート９の先端９ａが、排出シートトレイ１上の１枚目のシート９における後端９ｂから比較的離れた部分に接触する（図６参照）。この場合、２枚目のシート９が、１枚目のシート９を排出シートトレイ１から押し出したり、１枚目のシート９の下側に潜り込んだりするなどの前記排出不良の発生を回避することができる。
【００６１】
また、一対の第１ガイドリブ１２の背高傾斜部１２ａは、第１水平面１１ａから斜め上方へ一定の勾配で傾斜して形成されている。この場合、高さ方向における限られたスペースにおいて、背高傾斜部１２ａの傾斜角度を極力大きくすることができる。これにより、カールしたシート９の後端９ｂが、より確実に起点部１１ｘまで滑り落ちる。
【００６２】
また、起点側領域Ａ１よりもシート排出方向Ｄ１の下流側において、全てのガイドリブ１２，１３が水平方向から見て同じ高さで形成されている。この場合、シート９の先端９ａは、幅方向Ｄ２における広い範囲において、全てのガイドリブ１２，１３に対して均等な荷重で接する。そのため、シート９の先端９ａが、シート排出方向Ｄ１に沿ってまっすぐにガイドリブ１２，１３の頭頂部を摺動しやすい。その結果、シート９が排出シートトレイ１上を斜行することを防止できる。
【００６３】
また、一対の第１ガイドリブ１２は、幅方向Ｄ２において２つの第２ガイドリブ１３よりも内側に形成されている。これにより、排出されたシート９の後端９ｂが、シート９のサイズによらず、背の高い一対の第１ガイドリブ１２上に確実に乗る。
【００６４】
また、シートストッパー１４が、カールしたシート９の先端９ａの移動を止めることにより、カールしたシート９自体の弾性力が、シート９の後端９ｂを起点部１１ｘ側へ移動させる力として作用する。これにより、カールしたシート９の後端９ｂが、より確実に起点部１１ｘまで滑り落ちる。
【００６５】
[応用例]
排出シートトレイ１が、４つ以上の偶数個の第２ガイドリブ１３を有することも考えられる。この場合、全ての第２ガイドリブ１３のうちの半数ずつが、幅方向Ｄ２におけるシート排出口２ａの中心を基準にして左右対称に設けられる。
【００６６】
また、排出シートトレイ１が、奇数個の第２ガイドリブ１３を有することも考えられる。この場合、第２ガイドリブ１３の１つが、幅方向Ｄ２におけるシート排出口２ａの中心の位置に形成され、残りの全ての第２ガイドリブ１３のうちの半数ずつが、幅方向Ｄ２におけるシート排出口２ａの中心を基準にして左右対称に設けられる。なお、排出シートトレイ１が第２ガイドリブ１３を１つのみ有する場合、その第２ガイドリブ１３は、幅方向Ｄ２におけるシート排出口２ａの中心の位置に設けられる。
【００６７】
また、第２ガイドリブ１３が、一対の第１ガイドリブ１２におけるシート排出方向Ｄ１の上流側の端の位置寄りも下流側の位置からさらに下流側の範囲に形成されていることも考えられる。
【００６８】
また、排出シートトレイ１が、３個の第１ガイドリブ１２を有する場合、第１ガイドリブ１２の１つが、幅方向Ｄ２におけるシート排出口２ａの中心の位置に形成され、残りの一対の第１ガイドリブ１２が、幅方向Ｄ２におけるシート排出口２ａの中心を基準にして左右対称に設けられる。
【００６９】
なお、本発明に係る排出シートトレイおよび画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００７０】
１，１００：排出シートトレイ
２      ：画像形成装置の本体
２ａ    ：シート排出口
３      ：定着部
４      ：中継ローラー対
５      ：排出ローラー対
６      ：押圧部材
９      ：シート
９ａ    ：シートの先端
９ｂ    ：シートの後端
１０    ：画像形成装置
１１    ：基板部
１１ａ  ：第１水平面
１１ｂ  ：傾斜面
１１ｃ  ：第２水平面
１１ｄ  ：凹部
１１ｘ  ：起点部
１１ｙ  ：終点部
１２    ：第１ガイドリブ
１２ａ  ：第１ガイドリブの背高傾斜部
１２ｂ  ：第１ガイドリブの中間傾斜部
１２ｃ  ：第１ガイドリブの水平部
１３    ：第２ガイドリブ
１３ａ  ：第２ガイドリブの背低傾斜部
１３ｂ  ：第２ガイドリブの中間傾斜部
１３ｃ  ：第２ガイドリブの水平部
１４    ：シートストッパー
１４ａ  ：回動基部
１４ｂ  ：拡張部
３１    ：加熱ローラー
３２    ：加圧ローラー
３３    ：ヒーター
１４１  ：第１軸部
１４２  ：第２軸部
Ａ１    ：起点側領域
Ａ１０  ：起点側部分領域
Ａ２    ：中間領域
Ａ３    ：終点側領域
Ｄ１    ：シート排出方向
Ｄ２    ：幅方向
【図１】
0006565779.tif 000002
【図２】
0006565779.tif 000003
【図３】
0006565779.tif 000004
【図４】
0006565779.tif 000005
【図５】
0006565779.tif 000006
【図６】
0006565779.tif 000007
【図７】
0006565779.tif 000008
【図８】
0006565779.tif 000009